(57)【要約】【課題】支持部が折れ難い竪樋支持具及び竪樋支持構造を提供する。【解決手段】竪樋支持具１は、建物８の外壁に固定される固定部２を備える。竪樋支持具１は、固定部２の建物８の外方に固定部２と一体に設けられる挟持部４を備える。竪樋支持具１は、固定部２と挟持部４とを貫通し建物８の外壁に固定するための固定具５２が挿通する挿通孔１１を備える。挟持部４は、建物８の内方側に設けられる基部４１と、基部４１の左右方向の両端部から建物８の外方に向けて突出する支持部４２と、を有する。挟持部４は、支持部４２の建物８の外方側の端部から支持部４２が対向する方向に突出し竪樋７に設けられる結合具６を挟持する支持爪４２ａを有する。挟持部４は、基部４１の左右方向の中間部から建物８の外方に向けて突出し結合具６の挿入溝６１ａに挿入される突出部４３を有することを特徴とする。【選択図】図１
2015068106.tif 000002
【特許請求の範囲】
【請求項１】
建物の外壁に固定される固定部と、前記固定部の前記建物の外方に前記固定部と一体に設けられる挟持部と、前記固定部と前記挟持部とを貫通し前記建物の外壁に固定するための固定具が挿通する挿通孔と、を備え、
前記挟持部は、前記建物の内方側に設けられる基部と、前記基部の左右方向の両端部から前記建物の外方に向けて突出する支持部と、前記支持部の前記建物の外方側の端部から前記支持部が対向する方向に突出し竪樋に設けられる結合具を挟持する支持爪と、前記基部の左右方向の中間部から前記建物の外方に向けて突出し前記結合具の挿入溝に挿入される突出部と、を有することを特徴とする竪樋支持具。
【請求項２】
竪樋と、建物の外壁に固定される竪樋支持具と、前記竪樋の建物側に設けられる結合具と、を備え、
前記竪樋支持具は、前記建物の外壁に固定される固定部と、前記固定部の前記建物の外方に前記固定部と一体に設けられる挟持部と、前記固定部と前記挟持部とを貫通し前記建物の外壁に固定するための固定具が挿通する挿通孔と、を備え、
前記挟持部は、前記建物の内方側に設けられる基部と、前記基部の左右方向の両端部から前記建物の外方に向けて突出する支持部と、前記支持部の前記建物の外方側の端部から前記支持部が対向する方向に突出する支持爪と、前記基部の左右方向の中間部から前記建物の外方に向けて突出する突出部と、を有し、
前記結合具は、前記竪樋に取付けられる結合具本体と、前記結合具本体の左右方向の両端部に設けられ前記竪樋支持具に支持される被支持部と、を備え、
前記結合具本体は、前記竪樋に取付けられる端部とは反対側の端部に前記竪樋から前記建物の方向に開口を有する挿入溝を備え、
前記被支持部と前記竪樋との隙間には、前記支持爪が挿入され、
前記挿入溝には、前記突出部が挿入され、
前記支持爪と前記突出部により、前記結合具が挟持されるものであることを特徴とする竪樋支持構造。
【請求項３】
建物の外壁に固定される固定部と、前記固定部の前記建物の外方側に前記固定部と別体に設けられる挟持部と、を備え、
前記固定部は、前記挟持部と連結具により連結される連結部と、前記連結部から前記建物の内方に向けて連設され前記建物の外壁に固定される連設部と、を有し、
前記連結部は、前記連結具が挿通される固定側連結孔を有し、
前記挟持部は、前記建物の内方側に設けられる基部と、前記基部の左右方向の両端部から前記建物の外方に向けて突出する支持部と、前記支持部の前記建物の外方側の端部から前記支持部が対向する方向に突出し竪樋に設けられる結合具を挟持する支持爪と、前記基部の左右方向の中間部から前記建物の外方に向けて突出し前記結合具の挿入溝に挿入される突出部と、を有し、
前記挟持部は、前記固定側連結孔と連通し前記連結具が挿通する挟持部側連結孔を有することを特徴とする竪樋支持具。
【請求項４】
竪樋と、建物の外壁に固定される竪樋支持具と、前記竪樋の前記建物側に設けられる結合具と、を備え、
前記建物の外壁に固定される固定部と、前記固定部の前記建物の外方側に前記固定部と別体に設けられる挟持部と、を備え、
前記固定部は、前記挟持部と連結具により連結される連結部と、前記連結部から前記建物の内方に向けて連設され前記建物の外壁に固定される連設部と、を有し、
前記連結部は、前記連結具が挿通される固定側連結孔を有し、
前記挟持部は、前記建物の内方側に設けられる基部と、前記基部の左右方向の両端部から前記建物の外方に向けて突出する支持部と、前記支持部の前記建物の外方側の端部から前記支持部が対向する方向に突出する支持爪と、前記基部の左右方向の中間部から前記建物の外方に向けて突出する突出部と、を有し、
前記挟持部は、前記固定側連結孔と連通し前記連結具が挿通する挟持部側連結孔を有し、
前記結合具は、前記竪樋に取付けられる結合具本体と、前記結合具本体の左右方向の両端部に設けられ前記竪樋支持具に支持される被支持部と、を備え、
前記結合具本体は、前記竪樋に取付けられる端部とは反対側の端部に前記竪樋から前記建物の方向に開口を有する挿入溝を備え、
前記被支持部と前記竪樋との隙間には、前記支持爪が挿入され、
前記挿入溝には、前記突出部が挿入され、
前記支持爪と前記突出部により、前記結合具が挟持されるものであることを特徴とする竪樋支持構造。
【発明の詳細な説明】
【技術分野】
【０００１】
本発明は、竪樋支持具及び竪樋支持構造に関するものである。
【背景技術】
【０００２】
従来、竪樋と、建物の外壁に固定される竪樋支持具と、竪樋に取付けられ竪樋支持具と結合する結合具と、を備えたものが知られている（例えば特許文献１参照）。
【先行技術文献】
【特許文献】
【０００３】
【特許文献１】特開２０１２−１３６９０５号公報
【発明の概要】
【発明が解決しようとする課題】
【０００４】
特許文献１に記載されている発明では、建物の外壁に固定された竪樋支持具と、竪樋と押出成形により一体成形される結合具と、が結合することにより竪樋は建物の外壁に固定される。このとき、竪樋支持具の建物の外方側の先端に設けられる支持爪が結合具の被支持部と竪樋との間の隙間に挿入され、支持爪が結合具を挟持することにより、結合具と竪樋支持具が結合されていた。ここで、外力により竪樋が左右方向に移動すると、支持爪も左右方向に移動してしまう。このとき、支持部の基部側の端部が撓んでしまい、支持部が折れてしまう虞があった。
【０００５】
本発明は上記従来の問題点に鑑みて発明したものであって、その目的とするところは、支持部が撓み難い竪樋支持具を提供することを課題とするものである。
【課題を解決するための手段】
【０００６】
上記課題を解決するために、本発明は、以下のような構成とする。
【０００７】
建物の外壁に固定される固定部と、前記固定部の前記建物の外方に前記固定部と一体に設けられる挟持部と、前記固定部と前記挟持部とを貫通し前記建物の外壁に固定するための固定具が挿通する挿通孔と、を備え、前記挟持部は、前記建物の内方側に設けられる基部と、前記基部の左右方向の両端部から前記建物の外方に向けて突出する支持部と、前記支持部の前記建物の外方側の端部から前記支持部が対向する方向に突出し竪樋に設けられる結合具を挟持する支持爪と、前記基部の左右方向の中間部から前記建物の外方に向けて突出し前記結合具の挿入溝に挿入される突出部と、を有することを特徴とする。
【０００８】
竪樋と、建物の外壁に固定される竪樋支持具と、前記竪樋の前記建物側に設けられる結合具と、を備え、前記竪樋支持具は、前記建物の外壁に固定される固定部と、前記固定部の前記建物の外方に前記固定部と一体に設けられる挟持部と、前記固定部と前記挟持部とを貫通し前記建物の外壁に固定するための固定具が挿通する挿通孔と、を備え、前記挟持部は、前記建物の内方側に設けられる基部と、前記基部の左右方向の両端部から前記建物の外方に向けて突出する支持部と、前記支持部の前記建物の外方側の端部から前記支持部が対向する方向に突出する支持爪と、前記基部の左右方向の中間部から前記建物の外方に向けて突出する突出部と、を有し、前記結合具は、前記竪樋に取付けられる結合具本体と、前記結合具本体の左右方向の両端部に設けられ前記竪樋支持具に支持される被支持部と、を備え、前記結合具本体は、前記竪樋に取付けられる端部とは反対側の端部に前記竪樋から前記建物の方向に開口を有する挿入溝を備え、前記被支持部と前記竪樋との隙間には、前記支持爪が挿入され、前記挿入溝には、前記突出部が挿入され、前記支持爪と前記突出部により、前記結合具が挟持されるものであることを特徴とする。
【０００９】
建物の外壁に固定される固定部と、前記固定部の前記建物の外方側に前記固定部と別体に設けられる挟持部と、を備え、前記固定部は、前記挟持部と連結具により連結される連結部と、前記連結部から前記建物の内方に向けて連設され前記建物の外壁に固定される連設部と、を有し、前記連結部は、前記連結具が挿通される固定側連結孔を有し、前記挟持部は、前記建物の内方側に設けられる基部と、前記基部の左右方向の両端部から前記建物の外方に向けて突出する支持部と、前記支持部の前記建物の外方側の端部から前記支持部が対向する方向に突出し竪樋に設けられる結合具を挟持する支持爪と、前記基部の左右方向の中間部から前記建物の外方に向けて突出し前記結合具の挿入溝に挿入される突出部と、を有し、前記挟持部は、前記固定側連結孔と連通し前記連結具が挿通する挟持部側連結孔を有することを特徴とする。
【００１０】
竪樋と、建物の外壁に固定される竪樋支持具と、前記竪樋の前記建物側に設けられる結合具と、を備え、前記建物の外壁に固定される固定部と、前記固定部の前記建物の外方側に前記固定部と別体に設けられる挟持部と、を備え、前記固定部は、前記挟持部と連結具により連結される連結部と、前記連結部から前記建物の内方に向けて連設され前記建物の外壁に固定される連設部と、を有し、前記連結部は、前記連結具が挿通される固定側連結孔を有し、前記挟持部は、前記建物の内方側に設けられる基部と、前記基部の左右方向の両端部から前記建物の外方に向けて突出する支持部と、前記支持部の前記建物の外方側の端部から前記支持部が対向する方向に突出する支持爪と、前記基部の左右方向の中間部から前記建物の外方に向けて突出する突出部と、を有し、前記挟持部は、前記固定側連結孔と連通し前記連結具が挿通する挟持部側連結孔を有し、前記結合具は、前記竪樋に取付けられる結合具本体と、前記結合具本体の左右方向の両端部に設けられ前記竪樋支持具に支持される被支持部と、を備え、前記結合具本体は、前記竪樋に取付けられる端部とは反対側の端部に前記竪樋から前記建物の方向に開口を有する挿入溝を備え、前記被支持部と前記竪樋との隙間には、前記支持爪が挿入され、前記挿入溝には、前記突出部が挿入され、前記支持爪と前記突出部により、前記結合具が挟持されるものであることを特徴とする。
【発明の効果】
【００１１】
固定部と挟持部が一体に形成される竪樋支持具では、突出部により、外力による竪樋の左右方向への移動を規制することができる。これにより、支持爪が左右方向に移動し難くなるので、支持部の基部側の端部が撓んでしまい、支持部が折れてしまうことを防止することができる。
【００１２】
固定部と挟持部が一体に形成される竪樋支持具と、竪樋と一体に設けられる結合具と、を備える竪樋支持構造では、挟持部は、結合具の被支持部と竪樋との間の隙間に挿入される支持爪を備える。また、挟持部は、挿入溝に挿入される突出部を備える。突出部は、外力による竪樋の左右方向の移動を規制することができる。これにより、支持爪が左右方向に移動し難くなるので、支持部の基部側の端部が撓んでしまい、支持部が折れてしまうことを防止することができる。
【００１３】
固定部と挟持部が別体に形成される竪樋支持具では、突出部により、外力による竪樋の左右方向の移動を規制することができる。これにより、支持爪が左右方向に移動し難くなるので、支持部の基部側の端部が撓んでしまい、支持部が折れてしまうことを防止することができる。
【００１４】
固定部と挟持部が別体に形成される竪樋支持具と、竪樋と一体に設けられる結合具と、を備える竪樋支持構造では、挟持部は、結合具の被支持部と竪樋との間の隙間に挿入される支持爪を備える。また、挟持部は、挿入溝に挿入される突出部を備える。突出部は、外力による竪樋の左右方向の移動を規制することができる。これにより、支持爪が左右方向に移動し難くなるので、支持部の基部側の端部が撓んでしまい、支持部が折れてしまうことを防止することができる。
【図面の簡単な説明】
【００１５】
【図１】（ａ）第一の実施形態の竪樋支持具の平面図であり、（ｂ）第一の実施形態の竪樋支持具の正面図である。
【図２】第一の実施形態の竪樋支持具と結合具とが結合している斜視図である。
【図３】（ａ）第一の実施形態の竪樋支持具と結合具とが結合している側面図であり、（ｂ）第一の実施形態の竪樋支持具と結合具とが結合している平面図である。
【図４】（ａ）第二の実施形態の竪樋支持具の平面図であり、（ｂ）第二の実施形態の竪樋支持具の正面図である。
【図５】第二の実施形態の竪樋支持具と結合具とが結合している斜視図である。
【図６】（ａ）第二の実施形態の竪樋支持具と結合具とが結合している側面図であり、（ｂ）第二の実施形態の竪樋支持具と結合具とが結合している平面図である。
【発明を実施するための形態】
【００１６】
竪樋支持具１は、建物８の外壁に固定される固定部２を備える。竪樋支持具１は、固定部２の建物８の外方に固定部２と一体に設けられる挟持部４を備える。竪樋支持具１は、固定部２と挟持部４とを貫通し建物８の外壁に固定するための固定具５２が挿通する挿通孔１１を備える。挟持部４は、建物８の内方側に設けられる基部４１と、基部４１の左右方向の両端部から建物８の外方に向けて突出する支持部４２と、を有する。挟持部４は、支持部４２の建物８の外方側の端部から支持部４２が対向する方向に突出し竪樋７に設けられる結合具６を挟持する支持爪４２ａを有する。挟持部４は、基部４１の左右方向の中間部から建物８の外方に向けて突出し結合具６の挿入溝６１ａに挿入される突出部４３を有することを特徴とする。
【００１７】
竪樋支持構造は、竪樋７と、建物８の外壁に固定される竪樋支持具１と、竪樋７の建物８側に設けられる結合具６と、を備える。竪樋支持具１は、建物８の外壁に固定される固定部２を備える。竪樋支持具１は、固定部２の建物８の外方に固定部２と一体に設けられる挟持部４を備える。竪樋支持具１は、固定部２と挟持部４とを貫通し建物８の外壁に固定するための固定具５２が挿通する挿通孔１１を備える。挟持部４は、建物８の内方側に設けられる基部４１と、基部４１の左右方向の両端部から建物８の外方に向けて突出する支持部４２と、を有する。挟持部４は、支持部４２の建物８の外方側の端部から支持部４２が対向する方向に突出する支持爪４２ａと、基部４１の左右方向の中間部から建物８の外方に向けて突出する突出部４３と、を有する。結合具６は、竪樋７に取付けられる結合具本体６１と、結合具本体６１の左右方向の両端部に設けられ竪樋支持具１に支持される被支持部６２と、を備える。結合具本体６１は、竪樋７に取付けられる端部とは反対側の端部に竪樋７から建物８の方向に開口を有する挿入溝６１ａを備える。被支持部６２と竪樋７との隙間には、支持爪４２ａが挿入される。挿入溝６１ａには、突出部４３が挿入される。支持爪４２ａと突出部４３により、結合具６が挟持されるものであることを特徴とする。
【００１８】
竪樋支持具１は、建物８の外壁に固定される固定部３と、固定部３の建物８の外方側に固定部３と別体に設けられる挟持部４と、を備える。固定部３は、挟持部４と連結具５１により連結される連結部３１と、連結部３１から建物８の内方に向けて連設され建物８の外壁に固定される連設部３２と、を有する。連結部３１は、連結具５１が挿通される固定側連結孔３１ａを有する。挟持部４は、建物８の内方側に設けられる基部４１と、基部４１の左右方向の両端部から建物８の外方に向けて突出する支持部４２と、を有する。挟持部４は、支持部４２の建物８の外方側の端部から支持部４２が対向する方向に突出し竪樋７に設けられる結合具６を挟持する支持爪４２ａを有する。基部４１の左右方向の中間部から建物８の外方に向けて突出し結合具６の挿入溝６１ａに挿入される突出部４３を有する。基部４１は、固定側連結孔３１ａと連通し連結具５１が挿通する挟持部側連結孔４１ａを有する。
【００１９】
竪樋支持構造は、竪樋７と、建物８の外壁に固定される竪樋支持具１と、竪樋７の建物８側に設けられる結合具６と、を備える。竪樋支持具１は、建物８の外壁に固定される固定部３と、固定部３の建物８の外方側に固定部３と別体に設けられる挟持部４と、を備える。固定部３は、挟持部４と連結具５１により連結される連結部３１と、連結部３１から建物８の内方に向けて連設され建物８の外壁に固定される連設部３２と、を有する。連結部３１は、連結具５１が挿通される固定側連結孔３１ａを有する。挟持部４は、建物８の内方側に設けられる基部４１と、基部４１の左右方向の両端部から建物８の外方に向けて突出する支持部４２と、を有する。挟持部４は、支持部４２の建物８の外方側の端部から支持部４２が対向する方向に突出する支持爪４２ａと、基部４１の左右方向の中間部から建物８の外方に向けて突出する突出部４３と、を有する。基部４１は、固定側連結孔３１ａと連通し連結具５１が挿通する挟持部側連結孔４１ａを有する。結合具６は、竪樋７に取付けられる結合具本体６１と、結合具本体６１の左右方向の両端部に設けられ竪樋支持具１に支持される被支持部６２と、を備える。結合具本体６１は、竪樋７に取付けられる端部とは反対側の端部に竪樋７から建物８の方向に開口を有する挿入溝６１ａを備える。被支持部６２と竪樋７との隙間には、支持爪４２ａが挿入される。挿入溝６１ａには、突出部４３が挿入される。支持爪４２ａと突出部４３により、結合具６が挟持されるものであることを特徴とする。
【００２０】
以下、本発明の第一の実施形態について図１乃至図３に基づいて説明する。
【００２１】
竪樋７の建物８の外壁への固定は、建物８の外壁に固定される竪樋支持具１と、竪樋７の建物８側に設けられる結合具６と、が結合されることにより行われる。竪樋７は、呼び樋（図示せず）と連通するエルボ（図示せず）と排水部（図示せず）との間に配設される。竪樋支持具１と結合具６は、竪樋７が風等の外力によりエルボと排水部との間から外れないように竪樋７を固定する。
【００２２】
竪樋支持具１は、本実施形態では、図３に示すように、建物８の外壁と当接する固定部２と、固定部２の建物８の外方に固定部２と一体に設けられる挟持部４と、を備える。
【００２３】
固定部２は、本実施形態では、図２に示すように、円柱状となっているが、その形状は限定されない。固定部２の挟持部４側端部は、挟持部４の固定部２側端面に行く程径方向に位置するように傾斜している。固定部２の挟持部４側端部から挟持部４の固定部２側端面にかけて傾斜することにより、竪樋支持具１の外観が向上する。
【００２４】
挟持部４は、本実施形態では、図１乃至図３に示すように、建物８の内方側に設けられる基部４１を有する。基部４１の建物８の外方側の端部には、本実施形態では、図３（ｂ）に示すように、竪樋支持具１を建物８の外壁に固定するための固定具５２の頭部が当接する台座部４１ｂが設けられる。なお、固定具５２は螺子や釘等が考えられるが、特に限定されない。台座部４１ｂは、本実施形態では、図３に示すように、建物８の外方に開口を有する円錐台状の穴となっているが、形状は限定されない。
【００２５】
挟持部４は、本実施形態では、図１乃至図３に示すように、基部４１の左右方向の両端部から建物８の外方に向けて突出する支持部４２を有する。
【００２６】
挟持部４は、本実施形態では、図１乃至図３に示すように、支持部４２の建物８の外方側の端部から支持部４２が対向する方向に突出する支持爪４２ａを有する。
【００２７】
挟持部４は、本実施形態では、図１乃至図３に示すように、基部４１の左右方向の中間部から建物８の外方に向けて突出する突出部４３を有する。
【００２８】
突出部４３は、本実施形態では、図１（ａ）に示すように、平面視Ｔ字状となっているが、形状は限定されない。突出部４３は、本実施形態では、図１乃至図３に示すように、建物８の内方側に設けられる基台部４３ａと、建物８の外方側に設けられる先端部４３ｂと、を有する。先端部４３ｂは、本実施形態では、図１及び図３に示すように、基台部４３ａの建物８の外方側の側面の両端よりも支持部４２の対向する方向にずれた位置から、建物８の外方に向かって突出して設けられる。
【００２９】
突出部４３は、本実施形態では、図１（ｂ）に示すように、基部４１の建物８の外方側の端部の上端部と下端部に分かれて設けられる。突出部４３の上端部と下端部との間には、本実施形態では、図１（ｂ）に示すように、台座部４１ｂが設けられる。
【００３０】
竪樋支持具１は、本実施形態では、図１に示すように、挟持部４と固定部２とを貫通し固定具５２が挿通する挿通孔１１を備える。
【００３１】
挿通孔１１は、本実施形態では、図１に示すように、台座部４１ｂの建物８の内方側の端面の中心から固定部２の建物８の内方側の端面の中心にかけて、基部４１と固定部２を貫通して設けられる。なお、挿通孔１１が設けられる場所は限定されない。
【００３２】
結合具６は、本実施形態では、図２、図３に示すように、竪樋７に取付けられる結合具本体６１と、結合具本体６１の左右方向の両端部に設けられ竪樋支持具１に支持される被支持部６２と、を備える。
【００３３】
結合具本体６１は、本実施形態では、図２に示すように、竪樋７に取付けられる端部とは反対側の端部に竪樋７から建物８の方向に開口を有する挿入溝６１ａを備える。なお、結合具本体６１は、竪樋７が取付けられる端面に超音波溶着機により溶融される突起を有していてもよい。
【００３４】
挿入溝６１ａは、結合具６を竪樋７に固定する際に用いられる超音波溶着機の先端のホーンが、挿入されるために設けられる。更に、挿入溝６１ａには竪樋支持具１の突出部４３が挿入される。挿入溝６１ａは、ホーンの位置決めを行うことができる幅と深さを有する。
【００３５】
被支持部６２は、本実施形態では、図２に示すように、結合具本体６１の左右方向の側端部の建物８側の端部から、挿入溝６１ａの側壁が対向する方向とは逆方向に突出する。被支持部６２の建物８側端部は、本実施形態では、図１及び図２に示すように、結合具本体６１側の端部から結合具本体６１側とは反対側の端部に行く程竪樋７側に位置するように傾斜する。被支持部６２と竪樋７との間には、支持爪４２ａが挿入される隙間が形成される。
【００３６】
結合具６は、本実施形態では、図２及び図３に示すように、結合具本体６１の上端から連設される上側抜け止め部６３と、結合具本体６１の下端から連設される下側抜け止め部６４と、を備える。なお、上側抜け止め部６３と下側抜け止め部６４は、設けられなくともよい。
【００３７】
上側抜け止め部６３は、結合具６と結合した竪樋支持具１が、被支持部６２の上端から抜け出ないように設けられる。上側抜け止め部６３の竪樋７が取付けられる側の端面は、本実施形態では、図３（ｂ）に示すように、竪樋７の曲率に沿って円弧状となっている。上側抜け止め部６３の竪樋７が取付けられる側とは反対側の端面は、本実施形態では、図３（ａ）に示すように、結合具本体６１側の上端から上方に行く程竪樋７側に傾斜する。上側抜け止め部６３に前記傾斜が設けられることにより、結合具６の見栄えが良くなる。
【００３８】
下側抜け止め部６４は、結合具６と結合した竪樋支持具１が、被支持部６２の下端から抜け出ないように設けられる。下側抜け止め部６４の竪樋７が取付けられる側の端面は、竪樋７の曲率に沿って円弧状となっている。下側抜け止め部６４の竪樋７が取付けられる側とは反対側の端面は、本実施形態では、図３（ａ）に示すように、結合具本体６１側の下端から下方に行く程竪樋７側に傾斜する。下側抜け止め部６４に前記傾斜が設けられることにより、結合具６の見栄えが良くなる。
【００３９】
竪樋７には、上記した複数の結合具６が超音波溶着により間隙を有して固定される。
【００４０】
上記した構成の結合具６と竪樋支持具１とで、竪樋７を建物８の外壁に固定する施工手順を示す。作業者は、複数の竪樋支持具１を、建物８の外壁に所定の間隙を有して上下方向に一列になるように固定する。作業者は、竪樋７に所定の間隙を有して超音波溶着により溶着された複数の結合具６と、複数の竪樋支持具１とを当接させる。作業者は、結合具６の被支持部６２と竪樋７との間の隙間に、竪樋支持具１の支持爪４２ａを挿入させ、突出部４３を挿入溝６１ａに嵌入させる。
【００４１】
本実施形態では、固定部２と挟持部４が一体に形成される竪樋支持具１と、超音波溶着により竪樋７と一体に設けられる結合具６と、が備えられる。挟持部４は、結合具６の被支持部６２と竪樋７との間の隙間に挿入される支持爪４２ａと、挿入溝６１ａに挿入される突出部４３と、を備える。結合具６は、支持爪４２ａと突出部４３とで挟持されることにより、竪樋支持具１と結合される。突出部４３は、外力による竪樋７の左右方向への移動を規制することができる。これにより、支持爪４２ａが左右方向に移動し難くなるので、支持部４２の基部４１側の端部が撓んでしまい、支持部４２が折れてしまうことを防止できる。
【００４２】
次に、第二の実施形態について図４乃至図６に基づいて説明する。第二の実施形態は、第一の実施形態の変形例であり、第一の実施形態と同じ部分については同符号を付して説明を省略する。
【００４３】
竪樋支持具１は、本実施形態では、図６に示すように、建物８の外壁に固定される固定部３と、固定部３の建物８の外方側に固定部３とは別体に設けられる挟持部４と、を備える。
【００４４】
固定部３は、本実施形態では、図４乃至図６に示すように、挟持部４と連結具５１により連結される連結部３１と、連結部３１から建物８の内方に向けて連設され建物８の外壁に固定される連設部３２と、を有する。連結具５１は、ピンや、ボルト及びナット、等が考えられるが、特に限定されない。
【００４５】
連結部３１は、本実施形態では、図５に示すように、正面視矩形状となっているが、形状は限定されない。連結部３１は、本実施形態では、図４乃至図６に示すように、連結具５１が挿通される固定側連結孔３１ａを有する。
【００４６】
連設部３２は、本実施形態では、図４乃至図６に示すように、平面視Ｌ字状となっているが、形状は限定されない。連設部３２は、本実施形態では、図６（ｂ）に示すように、連結部３１の竪樋７から建物８を視て左側の端部から建物８に向かって連設されているが、連設部３２が設けられる場所は限定されない。連設部３２の建物８の内方側の端部には、固定部３を建物８の外壁に固定するための固定具５２が挿通される固定孔３２ａが設けられる。
【００４７】
挟持部４の基部４１は、本実施形態では、図４（ａ）及び図６（ｂ）に示すように、固定側連結孔３１ａと連通し連結具５１が挿通する挟持部側連結孔４１ａを有する。基部４１に設けられる台座部４１ｂは、本実施形態では、図６（ｂ）に示すように、矩形状となっているが、形状は限定されない。台座部４１ｂは、本実施形態では、図４（ｂ）に示すように、突出部４３の上端部と下端部との間に設けられる。台座部４１ｂには、固定部３と挟持部４とを連結するための連結具５１の頭部が当接する。
【００４８】
上記した構成の結合具６と竪樋支持具１とで、竪樋７を建物８の外壁に固定する施工手順を示す。作業者は、挟持部４の挟持部側連結孔４１ａと固定部３の固定側連結孔３１ａとに、連結具５１を挿入し、連結具５１を固定することにより、挟持部４と固定部３を固定する。作業者は、挟持部４と固定部３を固定した複数の竪樋支持具１を、建物８の外壁に所定の間隙を有して上下方向に一列になるように固定する。作業者は、竪樋７に所定の間隙を有して超音波溶着により溶着された複数の結合具６と、複数の竪樋支持具１とを当接させる。作業者は、結合具６の被支持部６２と竪樋７との間の隙間に、竪樋支持具１の支持爪４２ａを挿入させ、突出部４３を挿入溝６１ａに嵌入させる。
【００４９】
本実施形態では、固定部３と挟持部４が別体に形成される竪樋支持具１と、超音波溶着により竪樋７と一体に設けられる結合具６と、が備えられる。挟持部４は、結合具６の被支持部６２と竪樋７との間の隙間に挿入される支持爪４２ａと、挿入溝６１ａに挿入される突出部４３と、を備える。結合具６は、支持爪４２ａと突出部４３とにより挟持されることにより、竪樋支持具１と結合される。突出部４３は、外力による左右方向への移動を規制することができる。これにより、支持爪４２ａが左右方向に移動し難くなるので、支持部４２の基部４１側の端部が撓んでしまい、支持部４２が折れてしまうことを防止できる。また、挟持部４と固定部３とが別体に形成されているので、固定部３を交換するだけで、竪樋７と建物８の外壁との距離に合わせた竪樋支持具１を形成することができる。
【符号の説明】
【００５０】
１    竪樋支持具
１１  挿通孔
２    固定部
３    固定部
４    挟持部
４１  基部
４１ａ  挟持側連結孔
４１ｂ  台座部
４２  支持部
４２ａ  支持爪
４３  突出部
４３ａ  基台部
４３ｂ  先端部
５２  固定具
６    結合具
６１  結合具本体
６１ａ  挿入溝
６２  被支持部
７    竪樋
８    建物
【図１】
2015068106.tif 000003
【図２】
2015068106.tif 000004
【図３】
2015068106.tif 000005
【図４】
2015068106.tif 000006
【図５】
2015068106.tif 000007
【図６】
2015068106.tif 000008